(57)【要約】【課題】十字キーによる直感的な操作とホィール・リングによる操作手番が少ない操作を両立させた操作が行える電子機器を提供する。【解決手段】電子機器の第一階層を選択する第一の操作手段（ホィール）と、電子機器の第二階層を選択する第二の操作手段（リング）と、電子機器の前記第一階層が選択されている状態で前記第二の操作を行うと、第二階層が変更できる第二階層ダイレクト変更手段（Ｓ４１２）と、電子機器の前記第二階層ダイレクト変更手段で第二階層選択後、所定時間が経過すると第一階層へ戻る第一階層自動移動手段（Ｓ４１８）と、電子機器の第二階層が選択されている状態で前記第一の操作を行うと、第一階層が変更できる第一階層ダイレクト選択手段（Ｓ４０５）を有することを特徴とするパラメータ変更方法を有することを特徴とする。【選択図】図４
2015022339.tif 000002
【特許請求の範囲】
【請求項１】
電子機器であって、
第一階層を選択する第一の操作手段（ホィール）と、
第二階層を選択する第二の操作手段（リング）と、
前記第一階層が選択されている状態で前記第二の操作を行うと、第二階層が変更できる第二階層ダイレクト変更手段（Ｓ４１２）と、
前記第二階層ダイレクト変更手段で第二階層選択後、所定時間が経過すると第一階層へ戻る第一階層自動移動手段（Ｓ４１８）と、
第二階層が選択されている状態で前記第一の操作を行うと、第一階層が変更できる第一階層ダイレクト選択手段（Ｓ４０５）を有することを特徴とするパラメータ変更方法
を有することを特徴とする電子機器。
【請求項２】
前記制御手段は、第一階層から第二階層へ前記第一の操作手段と前記第二の操作手段以外の階層移動手段で移動した場合（Ｓ４２１）は、前記第一階層自動移動手段を行わないことを特徴とする請求項１に記載の電子機器。
【発明の詳細な説明】
【技術分野】
【０００１】
本発明は，機器に係る条件の設定を行える電子機器の制御方法、プログラム及び記録媒体に関する。
【背景技術】
【０００２】
近年、撮像装置や携帯電話端末などのＧＵＩの高品位化が進んでいる。特に撮像装置においては、電子ダイヤル・リング・ホィールなどを活用した撮像装置に好適な操作方法も進んでいる。
【０００３】
高品位で分かりやすい表現として、フォーカス位置とガイダンスを中央に表示するセンターフォーカスというＧＵＩの表現方法がある。分かりやすい半面、設定の切り替えに手番が必要となる課題がある。
【０００４】
一方、多機能化が進むなか、複数の設定を効率良く設定したいニーズもある。
【０００５】
特許文献１には、ポップアップメニューの選択を簡単な操作で行うために、ポップアップメニュー表示中にホィール操作を行う提案がされている。
【先行技術文献】
【特許文献】
【０００６】
【特許文献１】特開２００６−２１５７７１号公報
【発明の概要】
【発明が解決しようとする課題】
【０００７】
特許文献１のような機器においては、ポップアップメニューの表示・非表示でホィール操作における制御を変えることで簡単な項目選択を実現している。
【０００８】
しかし、簡単な操作と手番の少ない迅速な設定方法を両立する課題がある。
【０００９】
本発明は上記課題に鑑み、ホィールと操作部材で簡単な設定も行えつつ、ホィールとリングを活用すると操作手番を更に減らし、迅速な撮影設定が行える電子機器を提供することを目的とする。
【課題を解決するための手段】
【００１０】
上記課題を解決するために、本発明の請求項１に記載の電子機器は、
第一階層を選択する第一の操作手段（ホィール７３）と、
第二階層を選択する第二の操作手段（リング７４）と、
前記第一階層が選択されている状態で前記第二の操作を行うと、第二階層が変更できる第二階層ダイレクト変更手段と、
前記第二階層ダイレクト変更手段で第二階層選択後、所定時間が経過すると第一階層へ戻る第一階層自動移動手段と、
第二階層が選択されている状態で前記第一の操作を行うと、第一階層が変更できる第一階層ダイレクト選択手段を有することを特徴とするパラメータ変更方法
を有することを特徴とする。
【発明の効果】
【００１１】
本発明によれば、十字とホィールによる直感的な操作とリングとホィールによる操作手番が少ない操作が両立できる。
【図面の簡単な説明】
【００１２】
【図１】本発明の実施形態としてのデジタルカメラ１００の外観図である。
【図２】本発明の実施形態としてのデジタルカメラ１００の概略構成ブロック図である。
【図３】ＦＵＮＣメニュー画面の表示例である。
【図４】ＦＵＮＣメニュー画面処理のフローチャートである。
【発明を実施するための形態】
【００１３】
以下、図面を参照して本発明の好適な実施形態を説明する。
【００１４】
図１（ａ）〜（ｃ）に本発明の電子機器の一例としてのデジタルカメラの外観図を示す。図１（ａ）はデジタルカメラ１００の正面斜視図、図１（ｂ）はチルト式の表示部を閉じた位置とした場合のデジタルカメラ１００の背面斜視図、図１（ｃ）はチルト式の表示部を開いた際の正面斜視図である。
【００１５】
表示部２８は画像や各種情報を表示する表示部であり、操作部７０に含まれるタッチパネル７１と一体的に構成されている。
【００１６】
シャッター操作部６１は撮影指示を行うための操作部である。シャッター操作部６１は、矢印１１で示すレンズ光軸と垂直な方向にスライド操作が可能である。シャッター操作部６１は、上下それぞれの方向に半押し操作及び全押し操作が可能である。例えば矢印１１のうち、下側の中間位置までスライドさせて押し込み、半押し状態とすることができる。さらに下側にスライドさせて押し込み、全押し状態とすることができる。上側にも同様に、半押しと全押しが可能である。シャッター操作部６１に触れていない状態では、シャッター操作部６１は上下何れにも半押し状態にも全押し状態にもならない中間位置に復帰する。また、シャッター操作部６１は、矢印１２で示すレンズ光軸周りに回転操作することも可能であり、回転操作することによってズームレンズを駆動させる光学ズームや、電子ズームを行うことができる。すなわち、シャッター操作部６１は撮影を指示する機能とともに、いわゆるズームレバーの機能を兼ねて備えている。モード切替スイッチ６０は各種モードのいずれかに切り替えてモード設定するための操作部である。
【００１７】
操作部７０はユーザーからの各種操作を受け付ける各種スイッチ、ボタン、タッチパネル等の操作部材より成る操作部である。電源スイッチ７２は、電源オン、電源オフを切り替えるための押しボタンである。
【００１８】
表示部２８及びタッチパネル７１が備えられた表示部は、本体部に対して矢印１３の方向に開閉可能であり、最大で９０度、表示面を上として図１（ｃ）に示すように開いた状態とすることができる。図１（ｃ）のように表示部を開いて、デジタルカメラを下の方に構えることで、スルー画像（ライブビュー画像）が表示される表示部２８を上から見下ろして視認することができるので、ローアングル撮影が容易となる。また、図１（ｃ）と上下逆さまに構えることで、デジタルカメラ１００を上に持ち上げて構えても表示部２８を下側から視認することができ、ハイアングル撮影を容易にすることができる。
【００１９】
図２は、本実施形態によるデジタルカメラ１００の構成例を示すブロック図である。
【００２０】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００２１】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２２】
Ａ／Ｄ変換器２３からの出力データは、画像処理部２４及びメモリ制御部１５を介して、或いは、メモリ制御部１５を介してメモリ３２に直接書き込まれる。
【００２３】
メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。
【００２４】
Ｄ／Ａ変換器１６は、メモリ３２に格納されている画像表示用のデータ（スルー画像等の撮像画像の画像データ）をアナログ信号に変換してＬＣＤコントローラ９１に供給する。また、Ｄ／Ａ変換器１７は、不揮発性メモリ５６に格納されているタッチアイコン、タッチボタン、情報表示用の表示データなどの表示アイテム（ＯＳＤ：オンスクリーンディスプレイ）をアナログ信号に変換してＯＳＤコントローラ９２に供給する。ＯＳＤコントローラ９２では、姿勢検知部５５での検知に基づいて、デジタルカメラ１００が逆さの姿勢の場合は表示アイテム（ＯＳＤ）を上下左右反転（或いは１８０度回転）して、そうでない場合は反転せずにＬＣＤコントローラ９１に供給する。ＬＣＤコントローラ９１は、Ｄ／Ａ変換器１６から供給された画像データに、ＯＳＤコントローラ９２から供給された表示アイテムのデータを重畳（合成）して表示部２８に供給する。
【００２５】
こうして、メモリ３２に書き込まれた表示用の画像データはＤ／Ａ変換器１６を介して表示部２８により表示される。表示部２８は、ＬＣＤ等の表示器上に、ＬＣＤコントローラ９１からの信号に応じた表示を行う。Ａ／Ｄ変換器２３によって一度Ａ／Ｄ変換されメモリ３２に蓄積されたデジタル信号をＤ／Ａ変換器１６においてアナログ変換し、表示部２８に逐次転送して表示することで、電子ビューファインダとして機能し、スルー画像表示（ライブビュー表示）を行える。
【００２６】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２７】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１６、Ｄ／Ａ変換器１７、ＬＣＤコントローラ９１、ＯＳＤコントローラ９２、表示部２８等を制御することにより表示制御も行う。
【００２８】
システムタイマー５３は各種制御に用いる時間や、内蔵された時計の時間を計測する計時部である。
【００２９】
モード切替スイッチ６０、操作部７０はシステム制御部５０に各種の動作指示を入力するための操作手段である。
【００３０】
モード切替スイッチ６０は、システム制御部５０の動作モードを静止画記録モード、動画記録モード、再生モード等のいずれかに切り替える。
【００３１】
静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。あるいは、モード切り替えスイッチ６０で静止画撮影モードに一旦切り換えた後に、静止画撮影モードに含まれるこれらのモードのいずれかに、他の操作部材を用いて切り替えるようにしてもよい（撮影モード切替）。同様に、動画撮影モードにも複数のモードが含まれていてもよい。
【００３２】
第１シャッタースイッチ６２は、デジタルカメラ１００に設けられたシャッター操作部６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３３】
第２シャッタースイッチ６４は、シャッター操作部６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３４】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン、ＳＥＴボタン、上ボタン、下ボタン、左ボタン、右ボタン等がある。例えば、メニューボタンが押されると各種の設定可能なメニュー画面が表示部２８に表示される。
【００３５】
ＦＵＮＣボタンが押されるとスルー画像に重畳してＦＵＮＣメニュー画面が表示部２８に表示される。
【００３６】
ホィール７３は背面の十字キー付近に配置される回転操作部材で各種設定を操作する手段である。
【００３７】
リング７４は、鏡筒周辺に配置される回転操作部材でシャッター速度、絞り、ズーム、フォーカスや各種設定を操作する手段である。
【００３８】
ホィール７３とリング７４でＦＵＮＣメニューの設定を行うことができる。
【００３９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００４１】
通信部５４は、無線または優先ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００４２】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。また、デジタルカメラが、正位置であるのか、重力方向に対して正位置に対して上下逆さまの姿勢であるのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００４３】
図３（ａ）〜図３（ｂ）に、本実施形態における撮影設定に関するＦＵＮＣメニュー画面表示状態での表示部２８での表示例を示す。
【００４４】
図３（ａ）は、ＦＵＮＣメニュー画面で第一階層を選択し表示部２８に表示しているときのデジタルカメラ１００の背面図である。
【００４５】
ＦＵＮＣメニュー画面には、複数の選択項目が上下に並べて表示されており、第一階層３００には、ＩＳＯ感度・ホワイトバランス、マイカラー、測光方式、調光補正、ドライブ、アスペクトなどの項目選択を行うことができる。第一階層で現在選択されている項目は、第一項目選択表示３０２で表示を行う。この表示例では、ＩＳＯ感度が選択されている。第二階層３０１は、第一階層３００で選択した項目の詳細設定である。第一階層３００でＩＳＯ感度を選択しているときは、第二階層３０１でＩＳＯオート、ＩＳＯ８０、ＩＳＯ１００、ＩＳＯ２００等が選択できる。
【００４６】
選択項目表示３０３は現在選択されている項目を説明している。ガイダンス表示３０４は現在選択されている項目のガイダンスを表示する。
【００４７】
図３（ｂ）は、ＦＵＮＣメニュー画面で第二階層を選択し表示部２８に表示しているときのデジタルカメラ１００の背面図である。
【００４８】
第二階層選択表示３０５は、第二階層が選択されているときの表示である。第二項目選択表示３０６は、第二階層３０５で現在選択中の項目にフォーカスがあたっていることを表現している。
【００４９】
上述の動作を実現するための処理フローチャートについて説明する。
【００５０】
図４に、本実施形態におけるＦＵＮＣメニュー画面処理のフローチャートを示す。この処理は、不揮発性メモリ５６に記録されたプログラムを、システムメモリ５２に展開して実行することにより実現する。
【００５１】
Ｓ４０１では、システム制御部５０は、表示部２８にＦＵＮＣメニュー画面を表示する。この時の表示例が前述の図３（ａ）、図３（ｂ）である。
【００５２】
Ｓ４０２では、システム制御部５０は、操作部７０のホィール操作があったか否かを判定する。ホィール操作があった場合にはＳ４０３に進み、そうでない場合にはＳ４１０に進む。
【００５３】
Ｓ４０３では、システム制御部５０は、フォーカス位置が第二階層にあるか否かを判定する。第二階層にあると判定した場合（表示例図３（ｂ））はＳ４０４に進み、そうでない場合（表示例図３（ａ））にはＳ４０６に進む。
【００５４】
Ｓ４０４では、システム制御部５０は、階層移動フラグがＯＮか否かを判定する。ＯＮと判定した場合はＳ４０８に進み、そうでない場合にはＳ４０５に進む。
階層移動フラグについてはＳ４２１で後述する。
【００５５】
Ｓ４０５では、システム制御部５０は、第二階層を表示している図３（ｂ）の表示から第一階層を表示している図３（ａ）の表示に切り替える。
【００５６】
Ｓ４０６では、システム制御部５０は、第一階層の項目を変更する。例えば、ＩＳＯ感度・ホワイトバランス、マイカラー、測光方式、調光補正、ドライブ、アスペクト等の選択項目を変更する。
【００５７】
Ｓ４０７では、システム制御部５０は、操作部７０のホィールの操作が終了しているか否かを判定する。終了していると判定した場合はＳ４１０に進み、そうでない場合にはＳ４０６に戻る。
【００５８】
Ｓ４０８では、システム制御部５０は、第二階層の項目を変更する。例えば、ＩＳＯオート、ＩＳＯ８０、ＩＳＯ１００、ＩＳＯ２００等の項目を変更する。
【００５９】
Ｓ４０９では、システム制御部５０は、操作部７０のホィールの操作が終了しているか否かを判定する。終了していると判定した場合はＳ４１０に進み、そうでない場合にはＳ４０８に戻る。
【００６０】
Ｓ４１０では、システム制御部５０は、操作部７０のリング操作があったか否かを判定する。リング操作があった場合にはＳ４１１に進み、そうでない場合にはＳ４１９に進む。
【００６１】
Ｓ４１１では、システム制御部５０は、フォーカス位置が第一階層にあるか否かを判定する。第一階層にあると判定した場合（表示例図３（ａ））はＳ４１２に進み、そうでない場合（表示例図３（ｂ））にはＳ４１３に進む。
【００６２】
Ｓ４１２では、システム制御部５０は、第一階層を表示している図３（ａ）の表示から第二階層を表示している図３（ｂ）の表示に切り替える。これと同時にタイマーフラグをメモリ３２に設定する。
【００６３】
Ｓ４１３では、システム制御部５０は、第二階層の項目を変更する。例えば、ＩＳＯオート、ＩＳＯ８０、ＩＳＯ１００、ＩＳＯ２００等の項目を変更する。
【００６４】
Ｓ４１４では、システム制御部５０は、操作部７０のリングの操作が終了しているか否かを判定する。終了していると判定した場合はＳ４１５に進み、そうでない場合にはＳ４１３に戻る。
【００６５】
Ｓ４１５では、システム制御部５０は、メモリ３２にタイマーフラグが設定されているか否かを判定する。設定していると判定した場合はＳ４１６に進み、そうでない場合にはＳ４１９に進む。
【００６６】
Ｓ４１６では、システム制御部５０は、システムタイマー５３に指定秒数を設定する。
【００６７】
Ｓ４１７では、システム制御部５０は、設定秒数が経過したか否かを判定する。設定秒数を経過したと判定した場合はＳ４１８に進み、そうでない場合にはＳ４１７に戻る。
【００６８】
Ｓ４１８では、システム制御部５０は、第二階層を表示している図３（ｂ）の表示から第一階層を表示している図３（ａ）の表示に切り替える。
【００６９】
Ｓ４１９では、システム制御部５０は、第二階層への切り替え操作をしたか否かを判定する。操作をしたと判定した場合はＳ４２０に進み、そうでない場合にはＳ４２２に進む。第二階層への切り替え操作は、操作部７０のＳＥＴボタン、右ボタンである。
【００７０】
Ｓ４２０では、システム制御部５０は、フォーカスが第一階層か否かを判定する。第一階層と判定した場合はＳ４２１に進み、そうでない場合にはＳ４２２に進む。
【００７１】
Ｓ４２１では、システム制御部５０は、第一階層を表示している図３（ａ）の表示から第二階層を表示している図３（ｂ）の表示に切り替え、メモリ３２へ階層移動をしたフラグを記憶する。このフラグはＳ４０４の判定で使用する。
【００７２】
この階層移動フラグを使用することで、ＳＥＴボタン、右ボタンを押して、第一階層から第二階層へ切り替えたときは、第二階層でホィール操作が可能となり、ホィール７３とＳＥＴボタン、右ボタンのみで項目の選択が可能となる。リング７４が搭載されていない機種と同じ操作性を保つことが出来るため機種を買い替えたユーザや、複数機種を一緒に使用するときに互換性を保った操作が実現できる。また、Ｓ４０２からＳ４１８のフローでホィール７３の操作で第一階層の項目変更を、リング７４の操作で第二操作の項目変更をすることで操作手番が少ない操作方法も同時に実現することができる。
【００７３】
Ｓ４２２では、システム制御部５０は、第一階層への切り替え操作をしたか否かを判定する。操作をしたと判定した場合はＳ４２３に進み、そうでない場合にはＳ４２５に進む。第一階層への切り替え操作は、操作部７０の左ボタンである。
【００７４】
Ｓ４２３では、システム制御部５０は、フォーカスが第二階層か否かを判定する。第二階層と判定した場合はＳ４２４に進み、そうでない場合にはＳ４２５に進む。
【００７５】
Ｓ４２４では、システム制御部５０は、第二階層を表示している図３（ｂ）の表示から第一階層を表示している図３（ａ）の表示に切り替る。
【００７６】
Ｓ４２５では、システム制御部５０は、ＦＵＮＣメニューが閉じたか否かを判定する。閉じたと判定した場合はＦＵＮＣメニュー処理を終了し、そうでない場合にはＳ４０１に戻る。
【００７７】
以上説明した上記実施形態によれば、ホィール７３で第一階層のＦＵＮＣメニュー項目の変更を行い、リング７４で第二階層のＦＵＮＣメニュー項目を変更することで少ない操作手番で撮影パラメータを変更することができる。また、操作部７０のＳＥＴボタンもしくは右ボタンで第一階層から第二階層に切り替えた場合は、ホィール７３で第二階層のＦＵＮＣメニューを変更可能とすることで、リング７４を使用しないでも操作可能なＵＩを同時に実現することができる（デジタルカメラ１００の背面のみの操作も可能）。
【００７８】
なお、上述の実施形態では、ＦＵＮＣメニューの例を説明したが、撮影メニュー、再生メニュー、設定メニュー等のメニュー画面に適用することも可能である。
また、メニュー以外の設定ダイアログへの適用も可能である。
【００７９】
なお、システム制御部５０の制御は１つのハードウェアが行ってもよいし、複数のハードウェアが処理を分担することで、装置全体の制御を行ってもよい。
【００８０】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８１】
また、上述した実施形態においては、本発明をデジタルカメラに適用した場合を例にして説明したが、これはこの例に限定されず、タッチパネルを備え、機器の姿勢を判別できる電子機器であれば適用可能である。すなわち、本発明はタブレットＰＣやＰＤＡ、携帯電話端末や携帯型の画像ビューワ、デジタルフォトフレーム、音楽プレーヤー、ゲーム機、電子ブックリーダーなどに適用可能である。
【００８２】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００８３】
２８  表示部
６１  シャッター操作部
７０  操作部
７１  タッチパネル
【図１】
2015022339.tif 000003
【図２】
2015022339.tif 000004
【図４】
2015022339.tif 000005
【図３】
2015022339.tif 000006